(57)【特許請求の範囲】
【請求項１】
本体内の乾燥室に電気ヒータを熱源として送風機により発生した熱風を送り、
前記乾燥室に配置したトレー内の試料を乾燥する電気乾燥庫の風路構造において、
前記本体内の上部に上部隔壁により加熱室を形成し、
前記上部隔壁に前記乾燥室の熱気を加熱室に吸い込む吸込孔を形成し、
前記加熱室に前記電気ヒータおよび前記送風機のファンを設置し、
前記本体内の後部に上部が前記加熱室に連通するとともに下部が前記本体の下壁に達する後部熱風路を後部隔壁により形成し、
前記後部隔壁に前記後部熱風路の熱風を乾燥室に吹き出す後部吹出孔を複数形成し、
前記本体内の左右の側壁に前記トレーを載せる左右のトレー受けを上下に複数並べて設置し、
前記左右のトレー受けに前記後部熱風路に連通する左右の側部熱風路を形成するとともにこの左右の側部熱風路の熱風を前記乾燥室に吹き出す左右の側部吹出孔を複数形成したことを特徴とする電気乾燥庫の風路構造。
【発明の詳細な説明】
【技術分野】
【０００１】
この発明は電気乾燥庫の風路構造に係り、特に、本体が左右方向に大きくなることがなく、試料の乾燥ムラを減少させることができる電気乾燥庫の風路構造に関する。
【背景技術】
【０００２】
電気ヒータで試料を乾燥する電気乾燥庫には、図３に示すものがある。図３に示す電気乾燥庫１０１は、左右の側壁１０２・１０３と後壁１０４と上壁１０５と下壁１０６とにより箱状に形成される本体１０７の前部に開口部１０８を開閉可能なドア１０９を設け、本体１０７内に乾燥室１１０を形成している。
【０００３】
電気乾燥庫１０１は、本体１０７内の上部に上部隔壁１１１により加熱室１１２を形成している。上部隔壁１１１には、乾燥室１１０の熱気を加熱室１１２に吸い込む吸込孔１１３を形成し、吸込孔１１３に内気循環量を調整するシャッタ１１４を設置している。加熱室１１２には、電気ヒータ１１５および送風機１１６のファン１１７を設置している。送風機１１５のモータ１１８は、上壁１０５の外側に配置され、カバー１１９により覆われている。
【０００４】
電気乾燥庫１０１は、上壁１０５にカバー１１９内に臨む吸気口１２０を形成し、吸気口１２０を上部隔壁１１１内に形成した連絡通路１２１により吸込孔１１３に連通している。吸気口１２０には、吸気量を調整するダンパ１２２を設置している。また、電気乾燥庫１０１は、上壁１０５にカバー１１９内に臨む排気口１２３を形成し、乾燥室１１０に連通している。吸気口１２０と排気口１２３とは、カバー１１９内の仕切り壁１２４で仕切られた吸気通路１２５と排気通路１２６とによりそれぞれ外気に連通している。
【０００５】
電気乾燥庫１０１は、本体１０７内の後部に、後部隔壁１２７により後部熱風路１２８を形成している。後部熱風路１２８は、上部が加熱室１１２に連通するとともに下部が下壁１０６に達するように形成している。後部隔壁１２７には、後部熱風路１２８の熱風を乾燥室１１０に吹き出す後部吹出孔１２９を複数形成している。
【０００６】
この電気乾燥庫１０１は、本体１０７内の左右の側壁１０２・１０３にトレー１３０を載せる左右のトレー受け１３１・１３２を上下に複数並べて設置している。電気乾燥庫１０１は、本体１０７内の乾燥室１１０に電気ヒータ１１５を熱源として送風機１１６により発生した熱風を後部吹出孔１２９から乾燥室１１０内に送り、乾燥室１１０内の熱気を吸込孔１１３から吸い込んで循環させる間に、乾燥室１１０に配置したトレー１３０内の試料を乾燥する。
【０００７】
電気乾燥庫１０１は、加熱室１１２と乾燥室１１０とに循環される内気循環量をシャッタ１１４により調整する。また、電気乾燥庫１０１は、乾燥状態によって、吸気口１２０のダンパ１２２を開いて外気を取り入れるとともに排気口１２３から内気の一部を排気することで、乾燥室１１０内の空気を入れ換えて乾燥する。
【０００８】
従来の電気乾燥庫の風路構造には、本体内の左右の側壁に形成した熱風路から熱風を乾燥室内に吹き出すもの（特許文献１）、本体内のいずれか一方の側壁に形成した熱風路から熱風を乾燥室内に吹き出し、いずれか他方の側壁に形成した吸込路に乾燥室の熱気を吸い込むもの（特許文献２）、などがある。
【先行技術文献】
【特許文献】
【０００９】
【特許文献１】実開昭６２−１７６６９６号公報
【特許文献２】特開２００１−１０３９０５号公報
【発明の開示】
【発明が解決しようとする課題】
【００１０】
ところが、前記特許文献１に記載の電気乾燥庫の風路構造は、本体内の左右にそれぞれ風路を設け、左右２方向からの熱風を乾燥室に吹き出すため、左右の風路分だけ本体が左右方向に大きくなっていた。前記特許文献２に記載の電気乾燥庫の風路構造も、本体内の左右にそれぞれ風路を設け、乾燥室内のいずれか一方の側面から他方の側面に向かって熱風を流しているため、左右の風路分だけ本体が左右方向に大きくなっていた。
【００１１】
また、左右２方向からの熱風を乾燥室に吹き出す特許文献１に記載の電気乾燥庫の風路構造は、左右の風路の熱風温度を均一にするために、電気ヒータも左右風路でそれぞれ１つずつが必要であった。さらに、乾燥室に後方から熱風を吹き出す図３に記載の電気乾燥庫の風路構造や、左右いずれか１方向に熱風を乾燥室に吹き出す特許文献２に記載の電気乾燥庫の風路構造は、乾燥ムラを生じるおそれがあった。
【００１２】
この発明は、本体が左右方向に大きくなることを防ぎ、乾燥ムラを減少させることを目的とする。
【課題を解決するための手段】
【００１３】
この発明は、本体内の乾燥室に電気ヒータを熱源として送風機により発生した熱風を送り、前記乾燥室に配置したトレー内の試料を乾燥する電気乾燥庫の風路構造において、前記本体内の上部に上部隔壁により加熱室を形成し、前記上部隔壁に前記乾燥室の熱気を加熱室に吸い込む吸込孔を形成し、前記加熱室に前記電気ヒータおよび前記送風機のファンを設置し、前記本体内の後部に上部が前記加熱室に連通するとともに下部が前記本体の下壁に達する後部熱風路を後部隔壁により形成し、前記後部隔壁に前記後部熱風路の熱風を乾燥室に吹き出す後部吹出孔を複数形成し、前記本体内の左右の側壁に前記トレーを載せる左右のトレー受けを上下に複数並べて設置し、前記左右のトレー受けに前記後部熱風路に連通する左右の側部熱風路を形成するとともにこの左右の側部熱風路の熱風を前記乾燥室に吹き出す左右の側部吹出孔を複数形成したことを特徴とする。
【発明の効果】
【００１４】
この発明の電気乾燥庫の風路構造は、後部隔壁の後部吹出孔および左右のトレー受けの側部吹出孔の３方向から試料に熱風を当て乾燥するので、試料の乾燥ムラを減少させることができる。また、この発明の電気乾燥庫の風路構造は、左右のトレー受けで側部熱風路を形成しているので、本体内に左右の側部隔壁を設置して左右の熱風路を形成する風路構造に比べて、左右の側部隔壁および左右の熱風路の厚さぶんだけ本体を左右方向に小さくすることができ、コンパクト化することができる。
【図面の簡単な説明】
【００１５】
【図１】図１（Ａ）は電気乾燥庫の正面図、図１（Ｂ）は電気乾燥庫の扉を外した状態の正面図、図１（Ｃ）は図１（Ａ）のＣ−Ｃ線による断面図である。（実施例）
【図２】図２は図３に示す従来の電気乾燥庫とこの発明の電気乾燥庫との乾燥バラツキを示すグラフである。（実施例）
【図３】図３（Ａ）は電気乾燥庫の正面図、図３（Ｂ）は電気乾燥庫の扉を外した状態の正面図、図３（Ｃ）は図３（Ａ）のＣ−Ｃ線による断面図である。（従来例）
【発明を実施するための形態】
【００１６】
この発明の電気乾燥庫の風路構造は、後部隔壁の後部吹出孔および左右のトレー受けの側部吹出孔の３方向から試料に熱風を当てることで、乾燥ムラを減少させ、本体の左右方向の大きさを小さくするものである。
以下図面に基づいて、この発明の実施例を説明する。
【実施例】
【００１７】
図１・図２は、この発明の実施例を示すものである。図１において、１は電気乾燥庫である。電気乾燥庫１は、左右の側壁２・３と後壁４と上壁５と下壁６とにより箱状の本体７を形成し、本体７の前部に開口部８を開閉可能なドア９を設け、本体７内に乾燥室１０を形成している。
【００１８】
電気乾燥庫１は、本体７内の上部に上部隔壁１１により上壁５との間に加熱室１２を形成している。上部隔壁１１には、乾燥室１０の熱気を加熱室１２に吸い込む吸込孔１３を形成し、吸込孔１３に内気循環量を調整するシャッタ１４を設置している。加熱室１２には、電気ヒータ１５および送風機１６のファン１７を設置している。送風機１６のモータ１８は、上壁５外側に配置され、カバー１９により覆われている。
【００１９】
電気乾燥庫１は、上壁５にカバー１９内に臨む吸気口２０を形成している。吸気口２０は、上部隔壁１１内に形成した連絡通路２１により吸込孔１３に連通している。吸気口２０には、吸気量を調整するダンパ２２を設置している。また、電気乾燥庫１は、上壁５にカバー１９内に臨む排気口２３を形成している。排気口２３は、乾燥室１０に連通している。吸気口２０と排気口２３とは、カバー１９内の仕切り壁２４で仕切られた吸気通路２５と排気通路２６とにそれぞれ連通している。吸気通路２５と排気通路２６とは、吸気口２０と排気口２３とを外気に連通している。
【００２０】
電気乾燥庫１は、本体７内の後部に、後部隔壁２７により後壁４との間に後部熱風路２８を形成している。後部熱風路２８は、上部が加熱室１２に連通するとともに下部が下壁６に達するように形成している。後部隔壁２７には、後部熱風路２８の熱風を乾燥室１０に吹き出す後部吹出孔２９を複数形成している。
【００２１】
この電気乾燥庫１は、本体７内の左右の側壁２・３にトレー３０を載せる左右の一対のトレー受け３１・３２を上下に複数並べて設置している。左右のトレー受け３１・３２は、断面が横向きの樋形状に形成され、開口側をそれぞれ側壁２・３に向けて取り付けている。左右のトレー受け３１・３２は、内部に前部が閉鎖されて後部が前記後部熱風路２８に連通する左右の側部熱風路３３・３４を形成するとともに、この左右の側部熱風路３３・３４の熱風を乾燥室１０に吹き出す左右の側部吹出孔３５・３６を複数形成している。
【００２２】
前記後部吹出口２９と左右の側部吹出孔３５・３６とは、トレー３０の下側で同じ高さ位置になるように、水平方向に並べて形成している。
【００２３】
次に作用を説明する。
【００２４】
試料を乾燥する際には、電気乾燥庫１のドア９を開け、本体７内の左右のトレー受け３１・３２に試料を入れたトレー３０を載せ、ドア９を閉めて電気ヒータ１５および送風機１６を作動させ、加熱室１２で熱風を発生する。加熱室１２で発生された熱風は、後部熱風路２８に送り出され、後部隔壁２７の後部吹出孔２９から乾燥室１０の前方向に吹き出される。また、後部熱風路２８の熱風は、左右のトレー受け３１・３２に形成した左右の側部熱風路３３・３４に流れ、左右の側部吹出孔３５・３６から乾燥室１０の右方向・左方向に吹き出される。
【００２５】
乾燥室１０に３方向から吹き出された熱風は、トレー３０内の試料を乾燥する。試料を乾燥した後の熱気は、上方向の上部隔壁１１の吸込孔１３から加熱室１２に吸い込まれ、再び電気ヒータ１５で加熱されて送風機１６で熱風として再び後部熱風路２８に送り出される。後部熱風路２８の熱風は、前記のように後部吹出孔２９から乾燥室１０に吹き出され、また、左右のトレー受け３１・３２の側部吹出孔３５・３６から乾燥室１０に吹き出され、試料を乾燥する。
【００２６】
これにより、電気乾燥庫１は、電気ヒータ１５を熱源として送風機１６により加熱室１２で発生した熱風を３方向から乾燥室１０に送り、加熱室１２と乾燥室１０との間で熱風を循環させる間に、乾燥室１０に配置したトレー３０内の試料を乾燥する。
【００２７】
電気乾燥庫１は、加熱室１２と乾燥室１０との間で循環させる内気循環量をシャッタ１４の開閉により調整する。また、電気乾燥庫１は、乾燥状態によって、吸気口２０のダンパ２２を開いて外気を取り入れるとともに排気口２３から内気の一部を排気することで、乾燥室１０内の空気を入れ換えて乾燥する。吸気口２０を全開し、シャッタ１４を全閉した場合、吸気口２０から吸い込まれた外気は、電気ヒータ１５で加熱され、送風機１６で後部熱風路２８に送り出され、後部吹出孔２９、左右の側部吹出孔３５・３６から乾燥室１０に吹き出され、トレー３０を通過して試料を乾燥した後、庫内を循環されずに、排気口２３から外部に排気される。
【００２８】
このように、電気乾燥庫１は、後部隔壁２７の後部吹出孔２９から乾燥室１０に熱風を吹き出し、また、左右のトレー受け３１・３２の側部吹出孔３５・３６から乾燥室１０に熱風を吹き出す風路構造としている。
【００２９】
これにより、この電気乾燥庫１の風路構造は、後部隔壁２７の後部吹出孔２９および左右のトレー受け３１・３２の側部吹出孔３５・３６の３方向から試料に熱風を当て乾燥するので、図２に波線で示すように、実線で示す従来と比べて試料の乾燥ムラを減少させることができる。図２は、被試験用試料を電気乾燥庫１内の各部で乾燥させ、一定時間が経過したときの乾燥率（％）＝乾燥重量÷初期重量を計算したものである。最大バラツキ（％）は、｛同一トレー内での最大値（％）−最小値（％）｝の乾燥室１０内での最大値を示している。
【００３０】
また、この電気乾燥庫１の風路構造は、左右のトレー受け３１・３２で側部熱風路３３・３４を形成しているので、本体７内に左右の側部隔壁を設置して左右の熱風路を形成する風路構造に比べて、左右の側部隔壁および左右の熱風路の厚さぶんだけ本体７を左右方向に小さくすることができ、コンパクト化することができる。
【産業上の利用可能性】
【００３１】
この発明の電気乾燥庫の風路構造は、本体が左右方向に大きくなることを防ぎ、乾燥ムラを減少させることができるものであり、電気ヒータによる乾燥庫に限らず、熱風により試料等を乾燥する乾燥機に適用することができる。
【符号の説明】
【００３２】
１  電気乾燥庫
２  右の側壁
３  左の側壁
４  後壁
７  本体
１０  乾燥室
１１  上部隔壁
１２  加熱室
１３  吸込孔
１５  電気ヒータ
１６  送風機
２０  吸気口
２３  排気口
２７  後部隔壁
２８  後部熱風路
２９  後部吹出孔
３０  トレー
３１  右のトレー受け
３２  左のトレー受け
３３  右の側部熱風路
３４  左の側部熱風路
３５  右の側部吹出孔
３６  左の側部吹出孔
【図１】
0005574262.tif 000002
【図２】
0005574262.tif 000003
【図３】
0005574262.tif 000004